(57)【要約】【課題】  伝送路で発生した異常を検出した自装置が対向装置に通知することにより、双方に接続された機器に対して障害発生を通知することが可能な伝送装置を提供する。【解決手段】  伝送装置１ａの無線送受信回路３ａは、無線伝送路１０３で異常が検出された場合に警報を出力する。送信側制御信号生成回路６ａ／受信側制御信号生成回路７ａは、異常が発生したことを通知するための第１〜第３の制御信号列を生成し、無線伝送路、有線伝送路での異常が検出された場合にデータ列に置き換えて相互に転送する。無線障害検出回路９ａは、自装置／対向装置で検出された無線伝送路障害による制御信号列を共通に検出する。対向局リンク断検出回路１０ａ、制御保護回路１１ａおよびリンク制御回路１２ａは、対向局で発生した有線伝送路の回線障害を優先して検出する。ＬＡＮ信号終端回路４ａは、有線伝送路での異常を検出するとともに、回線を切断する。【選択図】      図１
2006067239.tif 000002
【特許請求の範囲】
【請求項１】
第１、第２の伝送路に接続される伝送装置であって、前記第１、第２の伝送路から受信した信号より異常を検出した場合に応じて、異常が発生したことを通知するための第１から第３の制御信号列を生成する手段と、前記第１から第３の制御信号列を送信または受信信号のデータ列に置き換える送信側および受信側の置き換え手段と、前記第１の伝送路から受信した信号に異常を検出している間、あるいは置き換えられた前記第１から第３の制御信号列のいずれかを検出している間、前記第１の伝送路の回線を切断する手段と、前記第１、第２の伝送路から受信した信号に異常を検出している間、前記第１、第２の制御信号列のいずれかを前記第２の伝送路に転送する手段と、を備えることを特徴とする伝送装置。
【請求項２】
請求項１に記載の伝送装置であって、前記第２の伝送路または受信系での障害を検出する手段と、受信信号に前記第１または第２の制御信号列と同一の制御信号列を検出する手段と、をさらに備えることを特徴とする伝送装置。
【請求項３】
請求項１又は２に記載の伝送装置であって、前記第２の伝送路からの受信信号に前記第１の制御信号列と同一の制御信号列を検出している間、前記第１の伝送路の回線を切断するとともに、前記第１の制御信号列を前記第２の伝送路に転送しないことを特徴とする伝送装置。
【請求項４】
請求項１、２又は３に記載の伝送装置であって、前記第２の伝送路からの受信信号に前記第２の制御信号列と同一の制御信号列を検出している間、該同一の制御信号列により前記第１の伝送路の回線を切断することを特徴とする伝送装置。
【請求項５】
前記第１から第３の制御信号列は、前記データ列とは異なる固定の信号列で構成され、送受信信号のデータ列に置き換えて通知または転送されることを特徴とする請求項１乃至４のいずれかに記載の伝送装置。
【請求項６】
一方が第１の伝送路を介してネットワーク機器に接続され、他方が第２の伝送路を介して対向する伝送装置に接続された伝送装置であって、前記第１の伝送路から受信した信号に異常を検出した時、前記第１の伝送路に接続された前記ネットワーク機器に障害発生を通知する第１の通知手段と、前記第２の伝送路に接続された前記対向する伝送装置に障害発生を通知する第２の通知手段と、前記第２の伝送路から受信した信号に異常を検出した時、前記第２の伝送路に接続された前記対向する伝送装置に障害発生を通知する第３の通知手段と、前記第１の伝送路に接続された前記ネットワーク機器に障害発生を通知する第４の通知手段と、前記第２の通知手段から前記第４の通知手段に使用する第１から第３の制御信号列を生成する手段とを有し、前記第１から第３の制御信号列が送信または受信信号のデータ列とは異なる固定の信号列として設定され、障害発生時のみ該データ列に置き換えることにより通知されることを特徴とする伝送装置。
【請求項７】
請求項６に記載の伝送装置であって、前記第２の伝送路からの受信信号に前記第２の通知手段に使用する前記第１の制御信号列と同一の制御信号列を検出している間、前記第１の伝送路の回線を切断するとともに、前記第１の制御信号列を前記対向する伝送装置に通知しないことを特徴とする伝送装置。
【請求項８】
請求項６又は７に記載の伝送装置であって、前記第２の伝送路からの受信信号に前記第３の通知手段に使用する前記第２の制御信号列と同一の制御信号列を検出している間、該同一の制御信号列により前記第１の伝送路の回線を切断することを特徴とする伝送装置。
【請求項９】
前記第１から第３の制御信号列は、前記第１の伝送路から受信した信号に異常を検出し前記第２の伝送路に転送する場合、前記第２の伝送路から受信した信号に異常を検出し前記第２の伝送路に転送する場合および前記第２の伝送路から受信した信号に異常を検出して自装置内に通知する場合のそれぞれにおいて送信または受信信号のデータ列に置き換えられることを特徴とする請求項１乃至８のいずれかに記載の伝送装置。
【請求項１０】
前記第１、第２の伝送路は、それぞれ有線伝送路および無線伝送路であることを特徴とする請求項１乃至９のいずれかに記載の伝送装置。
【請求項１１】
第１、第２の伝送路に接続される伝送装置の障害通知方法であって、前記第１、第２の伝送路から受信した信号に異常を検出したことを示す第１、第２の制御信号列を生成し、前記第１の伝送路からの受信信号に異常を検出している間、前記第１の伝送路の回線を切断するとともに、前記第２の伝送路に前記第１の制御信号列を転送し、前記第２の伝送路からの受信信号に異常を検出している間、前記第１の伝送路の回線を切断するとともに、前記第２の伝送路に前記第２の制御信号列を転送することを特徴とする伝送装置の障害通知方法。
【請求項１２】
請求項１１に記載の伝送装置の障害通知方法であって、前記第２の伝送路からの受信信号に前記第１の制御信号列と同一の制御信号列を検出している間、前記第１の伝送路の回線を切断し、その後前記第１の伝送路からの信号に異常を検出した時には、前記第２の伝送路に前記第１の制御信号列を転送しないことを特徴とする伝送装置の障害通知方法。
【請求項１３】
前記第１、第２の制御信号列は、データ列とは異なる固定の信号列で構成され、データ列に置き換えて転送されることを特徴とする請求項１１又は１２に記載の伝送装置の障害通知方法。
【請求項１４】
前記第１、第２の伝送路は、それぞれ有線伝送路および無線伝送路であることを特徴とする請求項１１又は１２に記載の伝送装置の障害通知方法。
【請求項１５】
無線伝送路を介して対向接続される伝送装置が有線伝送路を介してネットワーク機器に接続される伝送システムにおいて、前記対向接続された伝送装置が、無線伝送路の少なくとも一方向で回線障害が発生した場合に、前記有線伝送路の双方のデータリンク（データ通信回線）を強制的に切断する手段と、前記有線伝送路の一方のデータリンクが切断された場合に、他方のデータリンクを切断する手段とを備え、自装置で検出した異常を対向する伝送装置に通知する手段として、回線障害発生時にのみ送受信信号の伝送帯域を用いて警報情報（制御信号列）を転送することを特徴とする伝送システム。
【請求項１６】
請求項１５に記載の伝送システムであって、自装置が検出した回線障害を示す制御信号列と、前記対向接続された伝送装置が検出した回線障害を示す制御信号列とをデータ列とは異なる同一の制御信号列とすることを特徴とする伝送システム。
【請求項１７】
請求項１５又は１６に記載の伝送システムであって、自装置で検出した無線伝送路における障害を前記対向接続された伝送装置に通知する手段として、ＡＩＳ信号を用いてリンク断制御を行うことを特徴とする伝送システム。
【請求項１８】
請求項１５、１６又は１７に記載の伝送システムであって、自装置および前記対向接続された伝送装置が互いに前記制御信号列を監視し、既に通知されている場合には、前記対向接続された相手の伝送装置に通知しないことを特徴とする伝送システム。
【発明の詳細な説明】
【技術分野】
【０００１】
本発明は、有線伝送路からＩＥＥＥ  ８０２．３で標準化されたインタフェース信号（以下ＬＡＮ信号と定義する。）を端局で受信し、無線伝送路を介する相手端局で再度有線伝送路へ出力する伝送システムに関する。
【背景技術】
【０００２】
伝送路の一部に無線伝送路を用いてＬＡＮ信号を送受信するネットワークにおいて、無線伝送路を介して対向する一方の端局で何らかの障害を検出した場合、両端局に各々接続されたネットワーク機器に対して障害の発生を通知することが望まれている。
【０００３】
すなわち、無線伝送路を介して対向する各端局は、ＬＡＮで接続されたネットワーク機器との間でデータリンクが確立していないか、切断された場合には、他方の端局に接続されたネットワーク機器に対しても障害を通知し、データリンクを切断する必要がある。
【０００４】
このような課題を解決する一例として、光ファイバを介して対向する各光コンバータが、より対線を介してスイッチングＨＵＢと接続されるＬＡＮ構成が示されている。この光コンバータは、より対線インタフェース、光ファイバインタフェースおよび制御部を備え、より対線のリンク断を検出して光ファイバへ異常通知信号を送出する。また、光ファイバ断を検出してより対線インタフェースの電源供給を停止する制御を行う。これにより、ＬＡＮ用コンバータに接続されたネットワーク機器に対して異常通知を行うことができる。すなわち、光ファイバに障害が発生した場合、光コンバータは光ファイバの障害を検出して、通信方向のより対線のリンクを切断することにより、より対線に接続されたスイッチングＨＵＢに対して伝送路の異常を通知することができる。（例えば、特許文献１参照。）
【特許文献１】特開２０００−３２４１５３号公報
【発明の開示】
【発明が解決しようとする課題】
【０００５】
しかしながら、上述した従来の伝送システムは、通信方向のより対線のリンクを切断したことにより、スイッチングＨＵＢの間で双方向の通信が出来ないにも関わらず、障害が発生していない逆の通信方向の伝送路（スイッチングＨＵＢ）に対して、障害発生を通知する仕組みがないため、回線が不通になったことを通知されないという欠点がある。
【０００６】
本発明の目的は、このような従来の欠点を除去するため、自局で検出した警報（制御信号列）をデータ列に置き換えて、対向する端局に通知することにより、端局に接続されたネットワーク機器に対して障害発生を通知することが可能な伝送装置を提供する。
【課題を解決するための手段】
【０００７】
本発明の伝送装置は、第１、第２の伝送路に接続される伝送装置であって、前記第１、第２の伝送路から受信した信号より異常を検出した場合に応じて、異常が発生したことを通知するための第１から第３の制御信号列を生成する手段と、前記第１から第３の制御信号列を送信または受信信号のデータ列に置き換える送信側および受信側の置き換え手段と、前記第１の伝送路から受信した信号に異常を検出している間、あるいは置き換えられた前記第１から第３の制御信号列のいずれかを検出している間、前記第１の伝送路の回線を切断する手段と、前記第１、第２の伝送路から受信した信号に異常を検出している間、前記第１、第２の制御信号列のいずれかを前記第２の伝送路に転送する手段と、を備えることを特徴としている。
【０００８】
また、前記伝送装置は、前記第２の伝送路または受信系での障害を検出する手段と、受信信号に前記第１または第２の制御信号列と同一の制御信号列を検出する手段と、をさらに備えることを特徴としている。
【０００９】
また、前記伝送装置は、前記第２の伝送路からの受信信号に前記第１の制御信号列と同一の制御信号列を検出している間、前記第１の伝送路の回線を切断するとともに、前記第１の制御信号列を前記第２の伝送路に転送しないことを特徴としている。
【００１０】
また、前記伝送装置は、前記第２の伝送路からの受信信号に前記第２の制御信号列と同一の制御信号列を検出している間、該同一の制御信号列により前記第１の伝送路の回線を切断することを特徴としている。
【００１１】
また、前記第１から第３の制御信号列は、前記データ列とは異なる固定の信号列で構成され、送受信信号のデータ列に置き換えて通知または転送されることを特徴としている。
【００１２】
また、本発明の伝送装置は、一方が第１の伝送路を介してネットワーク機器に接続され、他方が第２の伝送路を介して対向する伝送装置に接続された伝送装置であって、前記第１の伝送路から受信した信号に異常を検出した時、前記第１の伝送路に接続された前記ネットワーク機器に障害発生を通知する第１の通知手段と、前記第２の伝送路に接続された前記対向する伝送装置に障害発生を通知する第２の通知手段と、前記第２の伝送路から受信した信号に異常を検出した時、前記第２の伝送路に接続された前記対向する伝送装置に障害発生を通知する第３の通知手段と、前記第１の伝送路に接続された前記ネットワーク機器に障害発生を通知する第４の通知手段と、前記第２の通知手段から前記第４の通知手段に使用する第１から第３の制御信号列を生成する手段とを有し、前記第１から第３の制御信号列が送信または受信信号のデータ列とは異なる固定の信号列として設定され、障害発生時のみ該データ列に置き換えることにより通知されることを特徴としている。
【００１３】
また、前記伝送装置は、前記第２の伝送路からの受信信号に前記第２の通知手段に使用する前記第１の制御信号列と同一の制御信号列を検出している間、前記第１の伝送路の回線を切断するとともに、前記第１の制御信号列を前記対向する伝送装置に通知しないことを特徴としている。
【００１４】
また、前記伝送装置は、前記第２の伝送路からの受信信号に前記第３の通知手段に使用する前記第２の制御信号列と同一の制御信号列を検出している間、該同一の制御信号列により前記第１の伝送路の回線を切断することを特徴としている。
【００１５】
また、前記第１から第３の制御信号列は、前記第１の伝送路から受信した信号に異常を検出し前記第２の伝送路に転送する場合、前記第２の伝送路から受信した信号に異常を検出し前記第２の伝送路に転送する場合および前記第２の伝送路から受信した信号に異常を検出して自装置内に通知する場合のそれぞれにおいて送信または受信信号のデータ列に置き換えられることを特徴としている。
【００１６】
また、前記第１、第２の伝送路は、それぞれ有線伝送路および無線伝送路であることを特徴としている。
【００１７】
また、本発明の伝送装置の障害通知方法は、第１、第２の伝送路に接続される伝送装置の障害通知方法であって、前記第１、第２の伝送路から受信した信号に異常を検出したことを示す第１、第２の制御信号列を生成し、前記第１の伝送路からの受信信号に異常を検出している間、前記第１の伝送路の回線を切断するとともに、前記第２の伝送路に前記第１の制御信号列を転送し、前記第２の伝送路からの受信信号に異常を検出している間、前記第１の伝送路の回線を切断するとともに、前記第２の伝送路に前記第２の制御信号列を転送することを特徴としている。
【００１８】
また、前記障害通知方法は、前記第２の伝送路からの受信信号に前記第１の制御信号列と同一の制御信号列を検出している間、前記第１の伝送路の回線を切断し、その後前記第１の伝送路からの信号に異常を検出した時には、前記第２の伝送路に前記第１の制御信号列を転送しないことを特徴としている。
【００１９】
また、前記第１、第２の制御信号列は、データ列とは異なる固定の信号列で構成され、データ列に置き換えて転送されることを特徴としている。
【００２０】
また、前記第１、第２の伝送路は、それぞれ有線伝送路および無線伝送路であることを特徴としている。
【００２１】
また、本発明の伝送システムは、無線伝送路を介して対向接続される伝送装置が有線伝送路を介してネットワーク機器に接続される伝送システムにおいて、前記対向接続された伝送装置が、無線伝送路の少なくとも一方向で回線障害が発生した場合に、前記有線伝送路の双方のデータリンク（データ通信回線）を強制的に切断する手段と、前記有線伝送路の一方のデータリンクが切断された場合に、他方のデータリンクを切断する手段とを備え、自装置で検出した異常を対向する伝送装置に通知する手段として、回線障害発生時にのみ送受信信号の伝送帯域を用いて警報情報（制御信号列）を転送することを特徴とする伝送システム。
【００２２】
また、前記伝送システムは、自装置が検出した回線障害を示す制御信号列と、前記対向接続された伝送装置が検出した回線障害を示す制御信号列とをデータ列とは異なる同一の制御信号列とすることを特徴を特徴としている。
【００２３】
また、前記伝送システムは、自装置で検出した無線伝送路における障害を前記対向接続された伝送装置に通知する手段として、ＡＩＳ信号を用いてリンク断制御を行うことを特徴としている。
【００２４】
また、前記伝送システムは、自装置および前記対向接続された伝送装置が互いに前記制御信号列を監視し、既に通知されている場合には、前記対向接続された相手の伝送装置に通知しないことを特徴としている。
【発明の効果】
【００２５】
本発明の伝送装置および伝送システムによれば、無線伝送路を介して接続された端局の何れかが、障害の発生を検出した時に、障害を通知する制御信号列をデータ列に代えて、対向する端局および当該端局に接続された外部ネットワーク機器の双方向に転送することにより、両端局に接続された外部ネットワーク機器のそれぞれに障害を通知することができる効果がある。
【発明を実施するための最良の形態】
【００２６】
次に、本発明の実施の形態について図面を参照して説明する。図１は、本実施の形態の無線伝送システムを構成する無線伝送装置の一つの実施の形態を示すブロック図である。
【００２７】
図１に示す本実施の形態は、有線伝送路１０１、１０４を介して接続された図示しない外部ネットワーク機器から受信したＬＡＮ信号を無線伝送路１０２、１０３を介する無線伝送装置１ａ、１ｂが対向して接続されている構成である。
【００２８】
無線伝送装置１ａ、１ｂは同一の構成であり、図示しない無線伝送装置１ｂの構成は、無線伝送装置１ａの各構成に対応する。ここでは無線伝送装置１ａの構成について詳細に説明する。なお必要な場合には、無線伝送装置１ｂの構成について添え字“ｂ”を用いて説明する。また、以下の記載では、動作の主体側を自局、対する相手側を対向局として表現する。
【実施例１】
【００２９】
図１において、無線伝送装置１ａは、ＬＡＮ信号処理回路２ａと無線送受信回路３ａとより構成されている。さらに、ＬＡＮ信号処理回路２ａは、ＬＡＮ信号終端回路４ａ、信号変換回路５ａ、送信側制御信号生成回路６ａ、受信側制御信号生成回路７ａ、信号再生回路８ａ、無線障害検出回路９ａ、対向リンク断検出回路１０ａ、制御保護回路１１ａおよびリンク制御回路１２ａより構成されている。すなわち、無線伝送路１０２、１０３を介して対向している無線伝送装置１ａ、１ｂが、有線伝送路１０１、１０４から受信したＬＡＮ信号を無線伝送路を介して相互に転送し、各装置で再度有線伝送路へ送信することにより、ＬＡＮ信号を相互に伝送する構成である。
【００３０】
次に、本発明を実施するための最良の形態の動作について図面を参照して説明する。図２は、図１に示す送信側制御信号生成回路６ａの構成を示すブロック図である。図３は、図１に示す受信側制御信号生成回路７ａの構成を示すブロック図である。
【００３１】
無線伝送装置１ａの無線送受信回路３ａは、無線送信信号１５ａを無線フレームに多重し、無線伝送路１０２を介して対向する無線伝送装置１ｂへ出力する。また、無線伝送路１０３を介して無線伝送装置１ｂから受信した無線フレーム信号の同期確立を行い、無線受信信号１６ａを出力する。さらに、無線伝送路１０３で回線障害が発生し、受信した無線フレームの同期が確立しない場合、あるいは、無線送受信回路３ａの受信系で機器故障が発生した場合、回線障害警報２１ａを出力する。
【００３２】
ＬＡＮ信号終端回路４ａは、有線伝送路１０１を介してＬＡＮで接続された図示しないネットワーク機器との間でデータリンク層におけるリンク確立を行う。リンクが確立している時は、有線伝送路１０１を介してネットワーク機器から受信したＬＡＮ受信データ１３ａを信号変換回路５ａへ出力する。一方、信号再生回路８ａからＬＡＮ送信データ１８ａを受信し、有線伝送路１０１を介してネットワーク機器へ出力する。また、有線伝送路１０１のリンク状態を監視し、リンクが切断している時は自局リンク断警報１９ａを制御保護回路１１ａへ出力する。さらに、リンク制御回路１２ａから強制リンク断制御信号２４ａを検出すると、ネットワーク機器との間のリンクを強制的に切断し、強制リンク断制御信号２４ａを検出している間はリンク確立動作を停止する。
【００３３】
信号変換回路５ａは、受信したＬＡＮ受信データ１３ａに対して信号変換を施して、送信データ１４ａを生成し送信側制御信号生成回路６ａに出力する。
【００３４】
送信側制御信号生成回路６ａは、図２に示すように、リンク断通知信号列生成回路２０１、無線障害通知信号列生成回路２０２および信号選択回路２０３より構成されている。
【００３５】
リンク断通知信号列生成回路２０１は、自局に接続された有線伝送路１０１のリンク断情報を対向局へ通知するために用いる予め定められた第１の固定制御信号列を生成し、信号選択回路２０３へ出力する。
【００３６】
無線障害通知信号列生成回路２０２は、自局で検出した無線伝送路の障害を対向局へ通知するために用いる予め定められた第２の固定制御信号列を生成し、信号選択回路２０３へ出力する。
【００３７】
信号選択回路２０３は、回線障害警報２１ａと制御保護回路１１ａから出力されたリンク断通知信号２０ａとを監視し、警報の検出結果に応じて無線送受信回路３ａに送出する無線送信信号１５ａの信号列を選択する。すなわち、いずれの警報も検出していない場合には送信データ１４ａを選択して無線送信信号１５ａに出力する。回線障害警報２１ａを検出すると、無線障害通知信号列生成回路２０２から受信した第２の固定制御信号列を選択し、送信信号のデータ列に置き換えた無線送信信号１５ａを出力する。また、回線障害警報２１ａを検出していない状態でリンク断通知信号２０ａを検出した場合は、リンク断通知信号列生成回路２０１から受信した第１の固定制御信号列を選択し、送信信号のデータ列に置き換えた無線送信信号１５ａを出力する。
【００３８】
受信側制御信号生成回路７ａは、図３に示すように、無線障害通知信号列生成回路３０１と信号選択回路３０２とより構成されている。
【００３９】
無線障害通知信号列生成回路３０１は、自装置で検出した無線伝送路の障害を無線障害検出回路９ａに通知するために用いる予め定められた第３の固定制御信号列を生成し、信号選択回路３０２へ出力する。ここで生成する第３の固定制御信号列は、送信側制御信号生成回路６ａの無線障害通知信号列生成回路２０２で生成される第２の固定制御信号列と同一のものである。
【００４０】
信号選択回路３０２は、回線障害警報２１ａを監視し、警報の検出結果に応じて受信データ１７ａとして出力する信号列を選択し、信号再生回路８ａ、無線障害検出回路９ａおよび対向リンク断検出回路１０ａに送出する。回線障害警報２１ａを検出している場合は、無線障害通知信号列生成回路３０１が生成した第３の固定制御信号列を選択し、受信信号のデータ列に置き換えた受信データ１７ａを出力する。回線障害警報２１ａを検出していない場合は無線受信信号１６ａを選択し、受信データ１７ａとして出力する。
【００４１】
信号再生回路８ａは、受信データ１７ａを受信し、信号変換回路５ａで実施する信号変換とは逆に、警報転送に用いる固定制御信号列を含まない信号列に変換されたＬＡＮ信号を再生した、ＬＡＮ送信信号１８ａを出力する。
【００４２】
無線障害検出回路９ａは、受信データ１７ａを入力し、対向する無線伝送装置１ｂの送信側制御信号生成回路６ｂが生成した第２の固定制御信号列、もしくは受信側制御信号生成回路７ａが生成した第３の固定制御信号列を検出する。すなわち、自局または対向局で生成された固定制御信号列を同一の回路で処理する。これらの固定制御信号列を検出した場合は、無線区間障害情報２３ａを生成してリンク制御回路１２ａへ出力する。
【００４３】
対向リンク断検出回路１０ａは、受信データ１７ａを入力し、無線伝送装置１ｂの送信側制御信号生成回路６ｂが生成した有線伝送路１０４のリンク断を示す第１の固定制御信号列を検出する。第１の固定制御信号列を検出した場合は、対向局リンク断情報２２ａを生成して制御保護回路１１ａおよびリンク断制御回路１２ａへ出力する。
【００４４】
制御保護回路１１ａは、有線伝送路１０１のリンク断を示す自局リンク断警報１９ａと有線伝送路１０４のリンク断を示す対向局リンク断情報２２ａとを入力し、対向局リンク断情報２２ａを検出している場合は自局リンク断警報１９ａをマスク処理する。すなわち、対向局リンク断情報２２ａを検出していない場合に限り、自局リンク断警報１９ａを検出した時、リンク断通知信号２０ａを生成して送信側制御信号生成回路６ａに出力する。これより、対向局リンク断によって、２次的に発生する自局リンク断の障害情報を無効とすることにより、相互の障害情報で閉塞状態になることを防止することができる。
【００４５】
リンク制御回路１２ａは、対向局リンク断情報２２ａと無線区間障害情報２３ａとを入力し、いずれかの障害情報を検出している場合に、強制リンク断制御信号２４ａをＬＡＮ信号終端回路４ａに出力する。ＬＡＮ信号終端回路４ａは、強制リンク断制御信号２４ａを検出している間はリンク確立動作を停止する。
【００４６】
次に、本実施の形態における伝送路の障害通知方法について詳細に説明する。
【００４７】
図１において、無線伝送装置１ａと無線伝送装置１ｂとは対向する局であり、無線伝送装置１ａから無線伝送装置１ｂへ向かう無線伝送路１０２を上り回線、逆方向の伝送路１０３を下り回線と定義する。また、無線伝送装置１ｂは、その構成を図示しない、例えば、無線送受信回路３ａに対応する無線送受信回路３ｂを使用して動作説明を行うものとする。
【００４８】
まず、有線伝送路が各々データリンク層でリンクが確立している状態において、無線伝送路に回線障害が発生した場合について説明する。図４は、無線伝送路１０３に回線障害が発生した場合の障害情報の伝達経路を示すブロック図である。また、図５は、無線伝送路１０２に回線障害が発生した場合の障害情報の伝達経路を示すブロック図である。
【００４９】
図４によると、無線送受信回路３ａは、回線劣化等による回線障害が無線伝送路１０３に発生し、無線伝送路１０３から受信した無線フレームの同期がとれなくなると、回線障害と判断して回線障害警報２１ａを出力する。
【００５０】
受信側制御信号生成回路７ａの信号選択回路３０２は、回線障害警報２１ａを検出すると、受信データ１７ａの信号列を無線障害通知信号列生成回路３０１から送出された第３の固定制御信号列に置き換えて出力する。
【００５１】
無線障害検出回路９ａは、受信側制御信号生成回路７ａから出力された無線伝送路障害を示す第３の固定制御信号列を受信データ１７ａから検出すると、無線区間障害警報２３ａを出力する。
【００５２】
リンク制御回路１２ａは、無線区間障害警報２３ａを受けると、強制リンク断制御信号２４ａを生成し出力する。
【００５３】
ＬＡＮ信号終端回路４ａは、強制リンク断制御信号２４ａを検出すると、有線伝送路１０１との間で確立しているデータリンクを強制的に切断し、強制リンク断制御信号２４ａを検出している期間、データリンクの確立動作を停止する。
【００５４】
一方、送信側制御信号生成回路６ａの信号選択回路２０３は、無線送受信回路３ａから出力された回線障害警報２１ａを検出すると、無線送信信号１５ａの信号列を無線障害通知信号列生成回路２０２から送出された第２の固定制御信号列に置き換えて出力する。
【００５５】
無線送受信回路３ａは、第２の固定制御信号列を含む無線送信信号１５ａを無線伝送路１０２に送出する。この無線送信信号１５ａは、対向する無線伝送装置１ｂの無線送受信回路３ｂに送信される。
【００５６】
次に、図５により、無線伝送装置１ｂにおける動作を、無線伝送装置１ａに置き換えて説明する。
【００５７】
図５によると、無線伝送路１０２に回線障害が発生した場合、図４に示した障害情報の伝達経路と同様にして、無線伝送路１０３に回線障害が発生したことを示す第２の固定制御信号列が無線伝送装置１ａに伝達される。この第２の固定制御信号列は、無線送受信回路３ａおよび受信制御信号生成回路７ａを介して無線障害検出回路９ａに入力される。
【００５８】
無線障害検出回路９ａは、受信データ１７ａの信号列から、送信側制御信号生成回路６ｂが出力した無線伝送路障害を示す第２の固定制御信号列を検出すると、無線区間障害警報２３ａを出力する。
【００５９】
リンク制御回路１２ａは、無線区間障害警報２３ａを受けて強制リンク断制御信号２４ａを生成する。
【００６０】
ＬＡＮ信号終端回路４ａは、強制リンク断制御信号２４ａを検出して有線伝送路１０１との間で確立しているデータリンクを強制的に切断し、強制リンク断制御信号２４ａを検出している間はデータリンクの確立動作を停止する。
【００６１】
以上の動作により、無線伝送路で障害が発生するなどの異常を検出した場合、異常を示す固定制御信号列を送受信信号列に置き換えることにより、対向するいずれの局においても、相対する局に障害情報を通知することができる。
【００６２】
次に、有線伝送路のリンクが新たに切断された場合について説明する。図６は、有線伝送路１０１に回線障害が発生した場合の障害情報の伝達経路を示すブロック図である。図７は、有線伝送路１０４に回線障害が発生した場合の障害情報の伝達経路を示すブロック図である。
【００６３】
図６によると、ＬＡＮ信号終端回路４ａは、有線伝送路１０１のリンク断を検出すると自局リンク断警報１９ａを生成し、制御保護回路１１ａに出力する。
【００６４】
制御保護回路１１ａは、対向局リンク断情報２２ａを検出していない状態で自局リンク断警報１９ａを検出したため、リンク断通知信号２０ａを生成し、送信側制御信号生成回路６ａに出力する。
【００６５】
送信側制御信号生成回路６ａの信号選択回路２０３は、リンク断通知信号２０ａを検出して、無線送信信号１５ａに出力する信号列をリンク断通知信号列生成回路２０１から送出された第１の固定制御信号列に切り替える。
【００６６】
無線送受信回路３ａは、第１の固定制御信号列を含む無線送信信号１５ａを無線伝送路１０２に送出する。この無線送信信号１５ａは、対向する無線伝送装置１ｂの無線送受信回路３ｂに送信される。
【００６７】
次に、図７により、無線伝送装置１ｂにおける動作を、無線伝送装置１ａに置き換えて説明する。
【００６８】
図７によると、有線伝送路１０４に回線障害が発生した場合、図６に示した障害情報の伝達経路と同様にして、有線伝送路１０４に回線障害が発生したことを示す第１の固定制御信号列が無線伝送装置１ａに伝達される。この第１の固定制御信号列は、無線送受信回路３ａおよび受信制御信号生成回路７ａを介して、対向局リンク断検出回路１０ａに入力される。
【００６９】
対向リンク断検出回路１０ａは、受信した受信データ１７ａの信号列から送信側制御信号生成回路６ｂが出力した対向局でリンク断が発生したことを示す第１の固定制御信号列を検出すると、対向局リンク断情報２２ａをリンク制御回路１２ａおよび制御保護回路１１ａに出力する。
【００７０】
リンク制御回路１２ａは、対向局リンク断情報２２ａを受けて強制リンク断制御信号２４ａを生成する。
【００７１】
ＬＡＮ信号終端回路４ａは、強制リンク断制御信号２４ａを検出して有線伝送路１０１との間で確立しているデータリンクを強制的に切断し、強制リンク断制御信号２４ａを検出している間はデータリンクの確立動作を停止する。
【００７２】
制御保護回路１１ａは、対向局リンク断情報２２ａを受けると、自局リンク断警報１９ａをマスク処理する。これより、対向局リンク断によって、２次的に発生する自局リンク断の障害情報を無効とすることで、相互の障害情報により閉塞状態になることを防止することができる。
【００７３】
以上の動作により、有線伝送路で障害が発生するなどの異常を検出した場合、異常を示す固定制御信号列を送受信信号列に置き換えることにより、対向するいずれの局においても、相対する局に障害情報を通知することができる。
【００７４】
したがって、本実施の形態によれば、無線伝送路または有線伝送路で回線障害が発生した場合にのみ、異常を示す固定制御信号列を送受信信号のデータ列に置き換えることとしているため、専用の帯域（オーバヘッド）を確保する必要がなくなる。よって、伝送容量の低下がなく、既存のシステムにも適応することができる。
【００７５】
また、対向する無線伝送装置１ａ、１ｂで、同一の固定制御信号列を用いることにより、同一経路の回路で検出し、処理することができるため、回路の共通化、簡略化を図ることができる。
【実施例２】
【００７６】
以上の実施の形態は、図１に示すように、無線伝送装置１ａに１つのＬＡＮ信号処理回路２ａを備え、１回線の有線伝送路１０１を収容する例であるが、複数のＬＡＮ信号処理回路２ａ−１〜２ａ−ｎ（ｎ：自然数）を備えて、複数の独立した有線伝送路１０１−１〜１０１−ｎを収容することもできる。図８は、複数の独立した有線伝送路を備えた場合を示すブロック図である。なお、ＬＡＮ信号処理回路２ａ−１〜２ａ−ｎは、図１のＬＡＮ信号処理回路２ａと各々同一の構成および機能を有するものとする。
【００７７】
この実施例２によれば、独立した複数のＬＡＮ回線を一つの無線伝送路に収容するような構成であっても、端局間で強制リンク断制御に関わる制御信号列を通知することができる。また、収容する回線数が増加する場合であっても、同様に各回線毎に端局間で強制リンク断制御に関わる制御信号列を通知することができる。
【００７８】
なお、図２において、無線障害通知を行う方法として予め定めた固定制御信号列を用いる方法を示しているが、予め定めた制御フレーム信号を生成して送出するか、あるいはＡＩＳ（Alarm Indication Signal）信号を用いることでも同様の効果を得ることができる。
【図面の簡単な説明】
【００７９】
【図１】本実施の形態の無線伝送システムを構成する無線伝送装置の一つの実施の形態を示すブロック図である。
【図２】図１に示す送信側制御信号生成回路の構成を示すブロック図である。
【図３】図１に示す受信側制御信号生成回路の構成を示すブロック図である。
【図４】無線伝送路１０３に回線障害が発生した場合の障害情報の伝達経路を示すブロック図である。
【図５】無線伝送路１０２に回線障害が発生した場合の障害情報の伝達経路を示すブロック図である。
【図６】有線伝送路１０１に回線障害が発生した場合の障害情報の伝達経路を示すブロック図である。
【図７】有線伝送路１０４に回線障害が発生した場合の障害情報の伝達経路を示すブロック図である。
【図８】複数の独立した有線伝送路を備えた場合を示すブロック図である。
【符号の説明】
【００８０】
１    無線伝送装置
２    ＬＡＮ信号処理回路
３    無線送受信回路
４    ＬＡＮ信号終端回路
５    信号変換回路
６    送信側制御信号生成回路
７    受信側制御信号生成回路
８    信号再生回路
９    無線障害検出回路
１０    対向リンク断検出回路
１１    制御保護回路
１２    リンク制御回路
【図１】
2006067239.tif 000003
【図２】
2006067239.tif 000004
【図３】
2006067239.tif 000005
【図４】
2006067239.tif 000006
【図５】
2006067239.tif 000007
【図６】
2006067239.tif 000008
【図７】
2006067239.tif 000009
【図８】
2006067239.tif 000010